(57)【要約】  【課題】  ローパス型能動フィルタ機能を持ったオーディオ信号増幅回路１を用い、オーディオ信号中のパイロット信号とともにサブキャリア信号を減衰することができるオーディオ信号増幅回路１を提供する。  【解決手段】  エミッタ接地型トランジスタ２と、トランジスタ２のベース・コレクタ間に接続されたコンデンサ８と、トランジスタ２のコレクタと交流的接地点間に接続された抵抗９とを備え、トランジスタ２とコンデンサ８と抵抗９によりオーディオ信号の最高域周波数をカットオフ周波数とするローパス型能動フィルタを構成し、ステレオ信号復調回路用ＩＣ１８は、オーディオ信号中に含まれるパイロット信号を選択的に減衰させる特性を有し、ローパス型能動フィルタは、オーディオ信号中に含まれるサブキャリア信号を減衰させる特性を有する。  【選択図】  図１
2005142924.tif 000002
【特許請求の範囲】
【請求項１】
ステレオ信号復調回路用ＩＣから出力されたオーディオ信号を増幅するオーディオ信号増幅回路であって、ベースに前記ステレオ信号復調回路用ＩＣからオーディオ信号が供給され、コレクタから増幅されたオーディオ信号が出力されるエミッタ接地型トランジスタと、前記トランジスタのベース・コレクタ間に接続されたコンデンサと、前記トランジスタのコレクタと交流的な接地点間に接続された抵抗とを備え、前記トランジスタと前記コンデンサと前記抵抗とによりオーディオ信号の最高域周波数をカットオフ周波数とするローパス型能動フィルタを構成し、前記ステレオ信号復調回路用ＩＣは、オーディオ信号中に含まれるパイロット信号を選択的に減衰させる特性を有し、前記ローパス型能動フィルタは、オーディオ信号中に含まれるサブキャリア信号を減衰させる特性を有していることを特徴とするオーディオ信号増幅回路。
【請求項２】
前記パイロット信号は周波数１９ＫＨｚのパイロット信号であり、前記サブキャリア信号は周波数３８ＫＨｚのサブキャリア信号であることを特徴とする請求項１に記載のオーディオ信号増幅回路。
【請求項３】
前記ローパス型能動フィルタはカットオフ周波数が１５ＫＨｚに設定されていることを特徴とする請求項１あるいは２に記載のオーディオ信号増幅回路。
【発明の詳細な説明】
【技術分野】
【０００１】
本発明は、ステレオ復調回路で復調されたステレオオーディオ信号を増幅するオーディオ信号増幅回路に係り、特に、ステレオオーディオ信号中に含まれている周波数１９ＫＨｚのパイロット信号及び周波数３８ＫＨｚのサブキャリア信号を有効に除去できるオーディオ信号増幅回路に関する。
【背景技術】
【０００２】
従来、ＦＭステレオ放送においては、ステレオオーディオ信号を得るために、送信側で１９ＫＨｚの周波数のパイロット信号とサブオーディオ信号とを使用して多重周波数変調を行い、受信側で多重周波数変調の復調をするときに、１９ＫＨｚの周波数のパイロット信号から３８ＫＨｚの周波数のサブキャリア信号を形成し、形成したサブキャリア信号を使用してステレオ復調を行っている。このようなステレオ復調を行ったときには、ステレオオーディオ信号とともに、１９ＫＨｚの周波数のパイロット信号と３８ＫＨｚの周波数のサブキャリア信号が同時に出力されることになる。
【０００３】
この場合、汎用的なＦＭステレオ受信機においては、ステレオ復調によってステレオオーディオ信号を得るときに、ステレオ復調されたオーディオ信号中に１９ＫＨｚの周波数のパイロット信号と３８ＫＨｚの周波数のサブキャリア信号とが含まれていたとしても、１９ＫＨｚの周波数のパイロット信号及び３８ＫＨｚの周波数のサブキャリア信号がＦＭステレオ受信機の再生可能な周波数帯域外になっているため、当該ＦＭステレオ受信機で聴取することができない、あるいは、聴取することができたとしても、低レベルで聞き取り難い意味不明な音声であるため、そのまま再生したとしても聴取者に殆ど影響を及ぼすことがない。
【０００４】
しかしながら、ステレオ復調されたステレオオーディオ信号を、ドルビーシステムを使用しているカセットレコーダや、無音時を検出して演奏曲間の判定を行っているＭＤレコーダ等の高レベルの記録再生機器を用いて再生または録音するときには、オーディオ信号に含まれている１９ＫＨｚの周波数のパイロット信号や３８ＫＨｚの周波数のサブキャリア信号がそれら記録再生機器の機能の妨げになり、正常に動作させることができない場合がある。
【０００５】
このような弊害を除去するため、従来、これらの高レベルの記録再生機器においては、ステレオ復調回路の出力側に、オーディオ信号増幅回路とともにＭＰＸフィルタと呼ばれる２ポールトラップ回路を接続した構成のオーディオ信号増幅回路を用いていた。この場合、オーディオ信号増幅回路は、オーディオ信号の信号レベルが所定の信号レベルになるようにオーディオ信号を増幅するものであり、２ポールトラップ回路は、増幅したオーディオ信号中の不要な周波数成分を減衰除去するもので、パイロット信号が存在する周波数１９ＫＨｚ及びサブキャリア信号が存在する周波数３８ＫＨｚにそれぞれトラップ回路が設けてあり、それによって１９ＫＨｚの周波数のパイロット信号及び３８ＫＨｚの周波数のサブキャリア信号をそれぞれ選択的に減衰させるものである。
【０００６】
ここで、図３は、ステレオ復調回路の出力側にオーディオ信号増幅回路とともに２ポールトラップ回路を接続したオーディオ信号増幅回路の一例を示す回路構成図である。
【０００７】
図３に示されるように、このオーディオ信号増幅回路は、ステレオ復調回路４９に接続され、左チャネル（Ｌ）オーディオ信号増幅回路３０Ｌと右チャネル（Ｒ）オーディオ信号増幅回路３０Ｒとからなっている。この場合、左チャネルオーディオ信号増幅回路３０Ｌは、オーディオ信号増幅用エミッタ接地トランジスタ３１Ｌと、信号入力端子４６Ｌとトランジスタ３１Ｌのベースとの間に接続されたデエンファシス回路と、トランジスタ３１Ｌのコレクタと信号出力端子４７Ｌとの間に接続された２ポールトラップ回路とを備え、同様に、右チャネルオーディオ信号増幅回路３０Ｒは、オーディオ信号増幅用エミッタ接地トランジスタ３１Ｒと、信号入力端子４６Ｒとトランジスタ３１Ｒのベースとの間に接続されたデエンファシス回路と、トランジスタ３１Ｒのコレクタと信号出力端子４７Ｒとの間に接続された２ポールトラップ回路とを備えている。
【０００８】
また、双方のデエンファシス回路は、分路接続コンデンサ３２Ｌ、３２Ｒ及び直列接続抵抗３３Ｌ、３３Ｒからなり、双方の２ポールトラップ回路は、第１直列接続インダクタ４０Ｌ、４０Ｒと分路接続コンデンサ４１Ｌ、４１Ｒと第２直列接続インダクタ４２Ｌ、４２Ｒ及び分路回路に直列接続されたインダクタ４３Ｌ、４３Ｒとコンデンサ４４Ｌ、４４Ｒからなっている。そして、２ポールトラップ回路において、第１直列接続インダクタ４０Ｌと分路接続コンデンサ４１Ｌ、それに第１直列接続インダクタ４０Ｒと分路接続コンデンサ４１Ｒはそれぞれ周波数３８ＫＨｚをトラップする第１トラップ回路を構成し、第２直列接続インダクタ４２Ｌと直列接続されたインダクタ４３Ｌ及びコンデンサコンデンサ４４Ｌ、それに第２直列接続インダクタ４２Ｒと直列接続されたインダクタ４３Ｒ及びコンデンサコンデンサ４４Ｒはそれぞれ周波数１９ＫＨｚをトラップする第２トラップ回路を構成している。
【０００９】
また、図４は、図３に図示された左チャネルオーディオ信号増幅回路３０Ｌ及び右チャネルオーディオ信号増幅回路３０Ｒの周波数特性を示す特性図である。
【００１０】
図４において、横軸はＫＨｚで表したオーディオ信号周波数、縦軸はｄＢｍで表したオーディオ信号レベルである。この特性図において、実線は２ポールトラップ回路を含んだ周波数特性を表し、一点鎖線は２ポールトラップ回路を除いた周波数特性を表している。
【００１１】
前記構成による左チャネルオーディオ信号増幅回路３０Ｌは、次のように動作する。いま、信号入力端子４６Ｌにステレオ復調回路４９から出力された左チャネルオーディオ信号が供給されると、そのオーディオ信号は、デエンファシス回路を通るときに所定のデエンファシス特性が付与された後、結合コンデンサ３４Ｌを介してエミッタ接地トランジスタ３１Ｌのベースに印加される。エミッタ接地トランジスタ３１Ｌは、この左チャネルオーディオ信号を所定信号レベルになるように増幅し、増幅された左チャネルオーディオ信号がコレクタから取り出され、結合コンデンサ３９Ｌを介して２ポールトラップ回路に供給される。２ポールトラップ回路は、図４の実線に示されるように、増幅された左チャネルオーディオ信号中の３８ＫＨｚの周波数のサブキャリア信号を第１トラップ回路によって大きく減衰させ、次いで増幅された左チャネルオーディオ信号中の１９ＫＨｚの周波数のパイロット信号を第２トラップ回路によって大きく減衰させ、信号出力端子４７Ｌには、サブキャリア信号及びパイロット信号が除去された増幅された左チャネルオーディオ信号がに供給される。
【００１２】
また、右チャネルオーディオ信号増幅回路３０Ｒの動作も、増幅する信号が右チャネルオーディオ信号になるだけで、前述の左チャネルオーディオ信号増幅回路３０Ｌの動作と全く同じであり、それにより信号出力端子４７Ｒには、サブキャリア信号及びパイロット信号が除去された増幅された右チャネルオーディオ信号が供給される。
【００１３】
ところで、前記構成を有する既知のオーディオ信号増幅回路は、２ポールトラップ回路を用いることにより、オーディオ信号中のサブキャリア信号及びパイロット信号を有効に除去することができるものの、２ポールトラップ回路を構成する場合、３個のインダクタと２個のコンデンサが必要になるため、オーディオ信号増幅回路を集積回路構成にすることができないだけでなく、小型化すること及び製造コストの低減化を図ることが難しいものである。
【００１４】
このような２ポールトラップ回路の使用を回避するものとして、最近になって、ステレオ復調回路の中にパイロットキャンセル回路を組み込み、そのパイロットキャンセル回路を含んだステレオ復調回路全体を集積回路（ＩＣ）構成にしたステレオ復調回路用ＩＣが開発されるようになった。このパイロットキャンセル回路は、オーディオ信号回路内に１９ＫＨｚの周波数のパイロット信号を選択的に負帰還させる負帰還回路を設けたもので、この選択的負帰還回路によりオーディオ信号中の１９ＫＨｚの周波数のパイロット信号が選択的に減衰され、２ポールトラップ回路を使用しなくても、ステレオ復調回路から出力されるオーディオ信号中の１９ＫＨｚの周波数のパイロット信号を大きく減衰させることができるものである。
【００１５】
しかしながら、パイロットキャンセル回路を内蔵したステレオ復調回路用ＩＣは、パイロットキャンセル回路によってオーディオ信号中の１９ＫＨｚの周波数のパイロット信号を減衰させることができるものの、オーディオ信号中の３８ＫＨｚの周波数のサブキャリア信号を減衰させることができないので、増幅されたオーディオ信号中に未だ３８ＫＨｚの周波数のサブキャリア信号が残留している。このため、パイロットキャンセル回路を内蔵したステレオ復調回路用ＩＣを用いただけでは、残留しているサブキャリア信号が高レベルの記録再生機器に影響を及ぼすことも考えられ、この種の高レベルの記録再生機器の機能を全うさせるに不十分なものである。
【特許文献１】従来技術として特許文献の採用なし
【発明の開示】
【発明が解決しようとする課題】
【００１６】
本発明は、このような技術的背景に鑑みてなされたもので、その目的は、オーディオ信号増幅回路にローパス型能動フィルタ機能を持たせ、オーディオ信号増幅回路を用いるだけオーディオ信号中のパイロット信号とともにサブキャリア信号を減衰することができるオーディオ信号増幅回路を提供することにある。
【課題を解決するための手段】
【００１７】
前記目的を達成するために、本発明によるオーディオ信号増幅回路は、ステレオ信号復調回路用ＩＣから出力されたオーディオ信号を増幅するオーディオ信号増幅回路であって、ベースにステレオ信号復調回路用ＩＣからオーディオ信号が供給され、コレクタから増幅されたオーディオ信号が出力されるエミッタ接地型トランジスタと、トランジスタのベース・コレクタ間に接続されたコンデンサと、トランジスタのコレクタと交流的な接地点間に接続された抵抗とを備え、トランジスタとコンデンサと抵抗とによりオーディオ信号の最高域周波数をカットオフ周波数とするローパス型能動フィルタを構成し、ステレオ信号復調回路用ＩＣは、オーディオ信号中に含まれるパイロット信号を選択的に減衰させる特性を有し、ローパス型能動フィルタは、オーディオ信号中に含まれるサブキャリア信号を減衰させる特性を有する手段を具備している。
【００１８】
この場合、前記手段におけるパイロット信号は周波数１９ＫＨｚのパイロット信号であり、サブキャリア信号は周波数３８ＫＨｚのサブキャリア信号である。
【００１９】
また、前記手段におけるローパス型能動フィルタはカットオフ周波数が１５ＫＨｚに設定されている。
【発明の効果】
【００２０】
本発明によれば、オーディオ信号増幅回路において、エミッタ接地型トランジスタと、当該トランジスタのベース・コレクタ間に接続されたコンデンサと、当該トランジスタのコレクタと交流的な接地点間に接続された抵抗とによってオーディオ信号の最高域周波数をカットオフ周波数とするローパス型能動フィルタを構成し、ステレオ信号復調回路用ＩＣに内蔵されるパイロットキャンセル回路によりオーディオ信号中に含まれるパイロット信号を選択的に減衰させ、ローパス型能動フィルタによりオーディオ信号中に含まれるサブキャリア信号を減衰させるようにしているので、２ポールトラップ回路を用いることなく、しかも、オーディオ信号増幅回路に簡単な回路を付加するだけで、オーディオ信号中のパイロット信号とともにサブキャリア信号を十分に減衰させることができるという効果がある。
【発明を実施するための最良の形態】
【００２１】
以下、本発明の実施の形態を図面を参照して説明する。
【００２２】
図１は、本発明によるオーディオ信号増幅回路を実施するための最良の形態を示す回路構成図である。
【００２３】
図１に示されるように、この実施の形態によるオーディオ信号増幅回路は、パイロットキャンセル回路１９を内蔵したステレオ復調回路用ＩＣ１８の出力側に接続配置されているもので、左チャネルオーディオ信号増幅回路１Ｌと、右チャネルオーディオ信号増幅回路１Ｒとからなっている。この場合、左チャネルオーディオ信号増幅回路１Ｌは、エミッタ接地型トランジスタ２Ｌと、信号入力端子１５Ｌとトランジスタ２Ｌのベースとの間に接続されたデエンファシス回路と、トランジスタ２Ｌのベース・コレクタ間に接続されたローパス型能動フィルタ回路とを備えている。同じように、右チャネルオーディオ信号増幅回路１Ｒは、エミッタ接地型トランジスタ２Ｒと、信号入力端子１５Ｒとトランジスタ２Ｒのベースとの間に接続されたデエンファシス回路と、トランジスタ２Ｒのベース・コレクタ間に接続されたローパス型能動フィルタ回路とを備えている。
【００２４】
そして、双方のデエンファシス回路は、分路接続コンデンサ３Ｌ、３Ｒと、直列接続抵抗４Ｌ、４Ｒとからなる。また、双方のローパス型能動フィルタ回路は、トランジスタ２Ｌ、２Ｒのベース・コレクタ間に接続された帰還コンデンサ８Ｌ、８Ｒと、トランジスタ２Ｌ、２Ｒのコレクタに接続されたコレクタ抵抗９Ｌ、９Ｒとからなっている。この場合、双方のローパス型能動フィルタ回路は、オーディオ信号周波数帯の最高周波数、例えば１５ＫＨｚの周波数がカットオフ周波数になるように、帰還コンデンサ８Ｌ、８Ｒの容量値とコレクタ抵抗９Ｌ、９Ｒの抵抗値とがそれぞれ選択される。
【００２５】
さらに、トランジスタ２Ｌは、ベースとデエンファシス回路との間に結合コンデンサ５Ｌが接続され、ベースと電源端子１５Ｌ間及びベースと接地点間にそれぞれベースバイアス抵抗６Ｌ、７Ｌが接続され、エミッタと接地点間にエミッタ抵抗１０Ｌが接続され、コレクタと信号出力端子１３Ｌとの間に結合コンデンサ１１Ｌが接続されている。同じように、トランジスタ２Ｒは、ベースとデエンファシス回路との間に結合コンデンサ５Ｒが接続され、ベースと電源端子１５Ｒ間及びベースと接地点間にそれぞれベースバイアス抵抗６Ｒ、７Ｒが接続され、エミッタと接地点間にエミッタ抵抗１０Ｒが接続され、コレクタと信号出力端子１３Ｒとの間に結合コンデンサ１０Ｒが接続されている。
【００２６】
この他に、信号出力端子１３Ｌと接地点間にインピーダンス整合抵抗１２Ｌが接続されている。同様に、信号出力端子１３Ｒと接地点間にインピーダンス整合抵抗１２Ｒが接続されている。
【００２７】
次に、図２は、図１に図示されたステレオ復調回路用ＩＣ１８を含む左チャネルオーディオ信号増幅回路１Ｌ及び右チャネルオーディオ信号増幅回路１Ｒの周波数特性を示す特性図であって、実線はそれらの総合特性であり、点線は比較のために示した左チャネルオーディオ信号増幅回路１Ｌ及び右チャネルオーディオ信号増幅回路１Ｒのみの特性である。
【００２８】
ここで、図２に図示の特性図を併用して図１に図示されたステレオ復調回路用ＩＣ１８を含むオーディオ信号増幅回路の動作について説明する。
【００２９】
まず、ステレオ復調回路用ＩＣ１８にその前段回路（図１に図示なし）から復調すべきステレオ信号が供給されると、ステレオ復調回路用ＩＣ１８は、周波数１９ＫＨｚのパイロット信号から得られた周波数３８ＫＨｚのサブキャリア信号を用いて復調すべきステレオ信号を復調し、復調されたステレオオーディオ信号を発生させる。このとき得られたステレオオーディオ信号は、左チャネルオーディオ信号と右チャネルオーディオ信号の２つのオーディオ信号であって、その中に周波数１９ＫＨｚのパイロット信号と周波数３８ＫＨｚのサブキャリア信号とが含まれている。この後、左チャネルオーディオ信号と右チャネルオーディオ信号は、それぞれパイロットキャンセル回路１９に供給され、そこで周波数１９ＫＨｚのパイロット信号が選択的に負帰還され、周波数１９ＫＨｚのパイロット信号が大幅に減衰され、ステレオ復調回路用ＩＣ１８の左チャネル出力端２０Ｌから周波数１９ＫＨｚのパイロット信号が大幅に減衰された左チャネルオーディオ信号が出力され、ステレオ復調回路用ＩＣ１８の右チャネル出力端２０Ｒから同じく周波数１９ＫＨｚのパイロット信号が大幅に減衰された右チャネルオーディオ信号が出力される。そして、出力された左チャネルオーディオ信号は、左チャネルオーディオ信号増幅回路１Ｌの信号入力端子１４Ｌに供給され、出力された右チャネルオーディオ信号は、右チャネルオーディオ信号増幅回路１Ｒの信号入力端子１４Ｒに供給される。
【００３０】
次に、左チャネルオーディオ信号増幅回路１Ｌは、信号入力端子１４Ｌに左チャネルオーディオ信号が供給されると、デエンファシス回路において左チャネルオーディオ信号に所定のデエンファシス特性を付与した後、左チャネルオーディオ信号を結合コンデンサ５Ｌを介してエミッタ接地トランジスタ２Ｌのベースに供給する。エミッタ接地トランジスタ２Ｌは、供給された左チャネルオーディオ信号を所定信号レベルになるように増幅し、増幅した左チャネルオーディオ信号がコレクタから取り出される。このとき、エミッタ接地トランジスタ２Ｌは、そのベース・コレクタ間に接続されたローパス型能動フィルタ回路により、図２に図示の特性図における点線で示すように、増幅した左チャネルオーディオ信号中の３８ＫＨｚの周波数のサブキャリア信号を減衰させる。
【００３１】
一方、ステレオ復調回路用ＩＣ１８は、内蔵するパイロットキャンセル回路１９により左チャネルオーディオ信号増幅回路１Ｌに供給する左チャネルオーディオ信号中の１９ＫＨｚの周波数のパイロット信号を大幅に減衰させた状態で出力しているので、エミッタ接地トランジスタ２Ｌのコレクタに導出される増幅された左チャネルオーディオ信号は、図２に図示の特性図における実線で示すように、１９ＫＨｚの周波数のパイロット信号と３８ＫＨｚの周波数のサブキャリア信号とがともに減衰されたものになり、信号出力端子１３Ｌに１９ＫＨｚの周波数のパイロット信号と３８ＫＨｚの周波数のサブキャリア信号が減衰した左チャネルオーディオ信号が供給される。
【００３２】
また、右チャネルオーディオ信号増幅回路１Ｒにおいても、信号入力端子１４Ｒに右チャネルオーディオ信号が供給されると、デエンファシス回路において右チャネルオーディオ信号に所定のデエンファシス特性を付与した後、右チャネルオーディオ信号を結合コンデンサ５Ｒを介してエミッタ接地トランジスタ２Ｒのベースに供給する。エミッタ接地トランジスタ２Ｒは、供給された右チャネルオーディオ信号を所定信号レベルになるように増幅し、増幅した右チャネルオーディオ信号がコレクタから取り出される。このときも、エミッタ接地トランジスタ２Ｒは、そのベース・コレクタ間に接続されたローパス型能動フィルタ回路により、図２に図示の特性図における点線で示すように、増幅した右チャネルオーディオ信号中の３８ＫＨｚの周波数のサブキャリア信号を減衰させる。
【００３３】
このときも、ステレオ復調回路用ＩＣ１８は、内蔵するパイロットキャンセル回路１９により右チャネルオーディオ信号増幅回路１Ｒに供給する右チャネルオーディオ信号中の１９ＫＨｚの周波数のパイロット信号を大幅に減衰させた状態で出力しているので、エミッタ接地トランジスタ２Ｒのコレクタに導出される増幅された右チャネルオーディオ信号は、図２に図示の特性図における実線で示すように、１９ＫＨｚの周波数のパイロット信号と３８ＫＨｚの周波数のサブキャリア信号とがともに減衰されたものになり、信号出力端子１３Ｒに１９ＫＨｚの周波数のパイロット信号と３８ＫＨｚの周波数のサブキャリア信号が減衰した右チャネルオーディオ信号が供給される。
【００３４】
このように、この実施の形態に係わるオーディオ信号増幅回路によれば、既知のこの種の回路で用いられていた２ポールトラップ回路を用いることなく、しかも、オーディオ信号増幅回路に簡単な構成のローパス型能動フィルタ回路を付加するだけで、オーディオ信号中のパイロット信号とともにサブキャリア信号を十分に減衰させることができ、集積回路化が可能であって、小型化及び製造コストの低減化を図れるオーディオ信号増幅回路が得られる。
【００３５】
なお、前記実施の形態においては、トランジスタ２Ｌ、２Ｒのベース・コレクタ間に接続するローパス型能動フィルタ回路を、帰還コンデンサ８Ｌ、８Ｒと、コレクタ抵抗９Ｌ、９Ｒとにより構成する例を挙げて説明したが、本発明に使用するローパス型能動フィルタ回路は、このような構成のものに限られるものでなく、回路構成を複雑なものにしない限り、これらの素子に他の素子を付加したものであってもよい。
【００３６】
また、前記実施の形態においては、ローパス型能動フィルタ回路のカットオフ周波数が１５ＫＨｚの周波数である例を挙げて説明したが、本発明に使用するローパス型能動フィルタ回路のカットオフ周波数は１５ＫＨｚの周波数であるものに限られず、オーディオ信号の周波数帯域に応じて１５ＫＨｚの周波数の近傍の周波数に選択してもよいことは勿論である。
【００３７】
さらに、前記実施の形態においては、パイロット信号が１９ＫＨｚの周波数であり、サブキャリア信号が３８ＫＨｚの周波数であるとして説明したが、本発明におけるパイロット信号とサブキャリア信号の各周波数が１９ＫＨｚ、３８ＫＨｚである場合に限定されるものでなく、ＦＭ放送信号の種別によって他の周波数のものであってもよいことは勿論である。
【図面の簡単な説明】
【００３８】
【図１】本発明によるオーディオ信号増幅回路を実施するための最良の形態を示す回路構成図である。
【図２】図１に図示されたステレオ復調回路用ＩＣを含む左チャネルオーディオ信号増幅回路及び右チャネルオーディオ信号増幅回路の周波数特性を示す特性図である。
【図３】ステレオ復調回路の出力側にオーディオ信号増幅回路とともに２ポールトラップ回路を接続したオーディオ信号増幅回路の一例を示す回路構成図である。
【図４】図３に図示された左チャネルオーディオ信号増幅回路及び右チャネルオーディオ信号増幅回路の周波数特性を示す特性図である。
【符号の説明】
【００３９】
１Ｌ  左チャネルオーディオ信号増幅回路
１Ｒ  右チャネルオーディオ信号増幅回路
２Ｌ、２Ｒ  エミッタ接地型トランジスタ
３Ｌ、３Ｒ  分路接続コンデンサ
４Ｌ、４Ｒ  直列接続抵抗
５Ｌ、５Ｒ、１１Ｌ、１１Ｒ  結合コンデンサ
６Ｌ、６Ｒ、７Ｌ、７Ｒ  ベースバイアス抵抗
８Ｌ、８Ｒ  帰還コンデンサ
９Ｌ、９Ｒ  コレクタ抵抗
１０Ｌ、１０Ｒ  エミッタ抵抗
１２Ｌ、１２Ｒ  インピーダンス整合抵抗
１３Ｌ、１３Ｒ  信号出力端子
１４Ｌ、１４Ｒ  信号入力端子
１５Ｌ、１５Ｒ  電源端子
１８  ステレオ復調回路用ＩＣ
１９  パイロットキャンセル回路
【図１】
2005142924.tif 000003
【図２】
2005142924.tif 000004
【図３】
2005142924.tif 000005
【図４】
2005142924.tif 000006